(57)【要約】  本発明は、電気シェーバー、そのようなシェーバーのハンドピース、及びそのような電気シェーバーを製造する方法に関する。より具体的には、本発明は、複数の電気シェーバー（１）を備えるシェーバーセットであって、各々が、ハウジング（３００）を含むハンドル（２）と、当該ハウジング内に受容されたモータ（９３）と、当該ハウジングのコネクタ要素（４００）に装着された支持構造（３０）によって当該ハンドルに接続されたシェーバーヘッド（３）と、当該シェーバーヘッド上に提供され、かつ駆動可能なカッター要素（４）及びせん断フォイル（５）を有する、少なくとも１つのカッターユニット（１００）であって、当該カッター要素が、当該カッター要素に当該モータを接続する駆動送信機（９）を介して、当該モータによってカッター振動軸（８）に沿って駆動されるように構成されている、カッターユニット（１００）と、を備える。そのような電気シェーバーに対して、互いに同一であり、かつハンドルにシェーバーヘッドの支持構造を接続するためのコネクタ要素を有するハウジングが製造であるが、他方で、電気シェーバーの各々に対して、ハンドルにシェーバーヘッドを接続するための支持構造が製造され、当該支持構造は、互いに異なる運動構造を有し、そのような異なる支持構造は、旋回軸及び傾斜軸を提供する支持構造（旋回軸及び傾斜軸を中心に、当該シェーバーヘッドは、当該ハンドルに対して旋回及び傾斜し得る）、それらの旋回及び傾斜軸のうちの１つのみを提供する支持構造、並びに旋回軸なしでハンドルに対してシェーバーヘッドを強固に保持する支持構造を含み得る。それらの異なる構成にもかかわらず、そのような異なる支持構造のいずれも、同じハウジングタイプに装着され得る。
2019534739.tif 000002
【特許請求の範囲】
【請求項１】
複数の電気シェーバー（１）を備えるシェーバーセットであって、各シェーバー（１）が、
−ハウジング（３００）を備えるハンドル（２）と、
−前記ハウジング（３００）内に受容されたモータ（９３）と、
−前記ハウジング（３００）のコネクタ要素（４００）に装着された支持構造（３０）によって前記ハンドル（２）に接続されたシェーバーヘッド（３）と、
−前記シェーバーヘッド（３）上に提供され、かつカッター要素（４）及びせん断フォイル（５）を含む、少なくとも１つのカッターユニット（１００）であって、前記カッター要素（４）が、前記カッター要素（４）に前記モータ（９３）を接続する駆動送信機（９）を介して、前記モータ（９３）によってカッター振動軸（８）に沿って駆動されるように構成されている、カッターユニット（１００）と、を備え、
前記ハウジング（３００）によって支持された前記駆動送信機（９）を含む全ての電気シェーバー（１）の前記ハウジング（３００）と、前記ハウジング（３００）の前記コネクタ要素（４００）とが、互いに同一であり、全てのハウジングの前記コネクタ要素（４００）の前記同一の構造が、各シェーバーヘッド（３）の前記支持構造（３０）と一致し、そのため、前記シェーバーヘッド（３）が、互いに対して交換可能であり、かつ各シェーバーヘッド（３）が、前記シェーバーセットの全てのシェーバー（１）の全てのハウジング（３００）に装着可能であり、
前記シェーバーヘッド（３）及び／又はその前記支持構造（３０）が、互いに異なり、次の３つのタイプ：
−第１のシェーバー（１）の前記シェーバーヘッド（３）が、旋回軸（７）及び傾斜軸（１１）を提供するように構成されている第１の支持構造（３０−１）によって、その前記ハンドル（２）に接続され、前記旋回軸（７）及び前記傾斜軸（１１）を中心に、前記シェーバーヘッド（３）が、前記ハンドル（２）に対して旋回及び傾斜し得ること、
−第２のシェーバー（２）の前記シェーバーヘッド（３）が、旋回軸（７）又は傾斜軸（１１）のうちの１つのみを提供するように構成されている第２の支持構造（３０−２）によって、その前記ハンドル（２）に接続され、前記旋回軸（７）又は前記傾斜軸（１１）を中心に、前記シェーバーヘッド（３）が、前記ハンドル（２）に対して旋回又は傾斜し得ること、並びに
−第３のシェーバー（１）の前記シェーバーヘッド（３）が、前記ハンドル（２）に対して前記シェーバーヘッド（３）を強固に保持するように構成されている第３の支持構造（３０−３）によって、その前記ハンドル（２）に接続されること、のうちの少なくとも２つが含まれる、ことを特徴とする、シェーバーセット。
【請求項２】
前記第１の支持構造、第２の支持構造、及び第３の支持構造（３０−１、３０−２、３０−３）の各々が、前記関連付けられたハンドル（２）の前記ハウジング（３００）の前記コネクタ要素（４００）に接続された一対のリンクアーム（３１、３２）を含み、前記コネクタ要素（４００）が、枢動された継手（３１（ｂ）、３２（ｂ））を形成し、前記ハンドル（２）の長手方向軸を横断して延在する枢軸を提供し、
−前記第１の支持構造（３０−１）の前記リンクアーム（３１、３２）が、ヘッド継手（３１ａ、３２ａ）によって、シェーバーヘッドフレーム（６）に枢動可能に接続され、前記ハウジング（３００）の前記コネクタ要素（４００）によって提供された前記枢軸に実質的に平行に延在する枢軸を提供し、これにより、前記傾斜軸（１１）を中心に前記ヘッドフレーム（６）を傾斜可能に支持するための４つの継手結合を形成し、前記シェーバーヘッドフレーム（６）が、前記旋回軸（７）を中心にカッター支持フレーム（４６）を枢動可能に支持し、前記カッター支持フレーム（４６）が、前記少なくとも１つのカッターユニット（１００）を支持し、
−前記第２の支持構造（３０−２）の前記リンクアーム（３１、３２）が、シェーバーヘッドフレーム（６）に強固に接続され、前記シェーバーヘッドフレーム（６）が、前記旋回軸（７）を中心にカッター支持フレーム（４６）を枢動可能に支持し、前記カッター支持フレーム（４６）が、前記少なくとも１つのカッターユニット（１００）を支持し、
−前記第３の支持構造（３０−３）の前記リンクアーム（３１、３２）が、カッター支持フレーム（４６）が強固に接続されたシェーバーヘッドフレーム（６）に強固に接続され、前記カッター支持フレーム（４６）が、前記少なくとも１つのカッターユニット（１００）を支持する、請求項１に記載のシェーバーセット。
【請求項３】
前記リンクアーム（３１、３２）は、前記リンクアーム（３１、３２）の前記ヘッド接続点（３１ａ、３２ａ）が、前記シェーバーヘッドと接続され、かつ前記ハンドルと接続された前記リンクアーム（３１、３２）の前記ハンドル接続点（３１ｂ、３２ｂ）よりも前記ハンドル（２）から更に離れている、起立構成において装着され、前記リンクアーム（３１、３２）は、前記リンクアーム（３１、３２）が使用者に対して視認可能である状態で、前記ハンドル（２）と前記シェーバーヘッド（３）との間で被覆されず及び／又は自由にアクセス可能である、請求項２に記載のシェーバーセット。
【請求項４】
前記電気シェーバー（１）の各々の前記シェーバーヘッド（３）が、前記シェーバーヘッド（３）の底面（２０１）と前記ハンドル（２）の頂面（２０２）との間で画定された隙間（２００）を伴って、前記関連付けられたハンドル（２）から離間されて位置決めされ、前記隙間が、前記支持構造（３０）の周りで前記シェーバー（１）の外側輪郭における周辺収縮を形成し、かつ前記隙間（２００）を架橋する前記支持構造（３０）へのアクセスを与え、前記隙間（２００）が、その最小区分において、３ｍｍ超の幅を有し、前記幅が、前記ハンドル（２）の前記頂面（２０２）からの前記シェーバーヘッド（３）の前記底面（２０１）の距離に対応する、請求項１〜３のいずれか一項に記載のシェーバーセット。
【請求項５】
前記シェーバー（１）の各々において、前記駆動送信機（９）が、前記ハウジング（３００）から延在し、かつ少なくとも１つの駆動ピン（９１）が強固に接続されたクランク要素（９２）を支持するシャフト部分を有するシャフト（９０）を含み、前記駆動ピン（９１）が、前記ハンドル（２）に対して固定配向を保持する長手方向軸を画定しながら、前記シャフト（９０）、前記クランク要素（９２）、及び前記駆動ピン（９１）が、強固な構造を形成し、各シェーバーヘッド（３）において、前記駆動ピン（９１）が前記カッター振動軸（８）の方向に固定的に受容される駆動ピン凹部を含む、少なくとも１つのカッター要素（４）が提供される、請求項１〜４のいずれか一項に記載のシェーバーセット。
【請求項６】
複数の電気シェーバー（１）を備えるシェーバーセットを製造する方法であって、各シェーバー（１）が、ハンドル（２）と、せん断フォイル（５）、及びカッター振動軸（８）に沿って前記せん断フォイル（５）の下で駆動可能なカッター要素（４）を備える、少なくとも１つのカッターユニット（１００）を含む、シェーバーヘッド（３）と、駆動送信機（９）を介して前記カッター要素（４）に接続されたモータ（９３）と、を備え、前記方法が、
前記電気シェーバー（１）の各々について、前記モータ（９３）を収容し、かつ前記駆動送信機（９）を支持するためのハウジング（３００）を製造することであって、前記ハウジング（３００）の一部分が、前記モータ（９３）を収容及び／又は完全に包被し、かつ前記駆動送信機（９）を支持し、互いに同一であり、前記ハンドル（２）に前記シェーバーヘッド（３）の支持構造（３０）を接続するためのコネクタ要素（４００）を有し、前記シェーバーセットの全てのシェーバー（１）の全てのハウジング（３００）が、コネクタ要素（４００）の前記同一の構造を有する、製造することを含み、
前記電気シェーバー（１）の各々について、支持構造のタイプに適合される前記シェーバーヘッド（３）を前記ハンドル（２）に接続するための支持構造（３０−１、３０−２、３０−３）を製造することであって、前記支持構造（３０−１、３０−２、３０−３）が、互いに異なる運動構造を有し、前記支持構造が、次の３つの支持構造：
−旋回軸（７）及び傾斜軸（１１）を提供するように構成されている第１の支持構造（３０−１）であって、前記旋回軸（７）及び前記傾斜軸（１１）を中心に、前記シェーバーヘッド（３）が、前記ハンドル（２）に対して旋回及び傾斜し得る、第１の支持構造（３０−１）、
−旋回軸（７）又は傾斜軸（１１）を提供するように構成されている第２の支持構造（３０−２）であって、前記旋回軸（７）又は前記傾斜軸（１１）を中心に、前記シェーバーヘッド（３）が、前記ハンドル（２）に対して旋回又は傾斜し得る、第２の支持構造（３０−２）、並びに
−前記ハンドル（２）に対して移動不可能に前記シェーバーヘッド（３）を強固に保持するように構成されている第３の支持構造（３０−３）、のうちの少なくとも２つを含み、
全てのシェーバーヘッド（３）の前記支持構造（３０−１、３０−２、３０−３）が、前記シェーバーセットの全ての電気シェーバー（１）の全てのハウジング（３００）の前記コネクタ要素（４００）に一致するように製造され、そのため、前記シェーバーヘッド（３）が、互いに対して交換可能であり、かつ各シェーバーヘッド（３）が、前記シェーバーセットの全てのシェーバー（１）の全てのハウジング（３００）に装着可能である、製造することを特徴とする、方法。
【請求項７】
前記ハウジング（３００）が、前記モータ（９３）を受容するためのシャーシ部分を有する内側ハウジング（３０１）と、前記内側ハウジング（３０１）を囲む外側ハウジング（３０２）と、を含み、前記内側シャーシ部分が、製造され、前記モータ（９３）、及びＰＣＢ、及び他の電気部品が、その上に装着され、次いで、前記組み立てられたシャーシ部分が、前記内側ハウジングの第１の部分の内側で固定され、次いで、前記内側ハウジングが、前記シェーバーの全ての電気部品を完全に被覆するように完成され、次いで、前記外側ハウジング及び他の部品が、前記内側ハウジング上に組み立てられる、請求項６に記載の方法。
【請求項８】
請求項２〜５のいずれか一項に記載のシェーバーセットのための電気シェーバー（１）のシェーバーハンドピースであって、前記シェーバーハンドピースが、ハウジング（３００）を有するハンドル（２）と、前記ハウジング（３００）内に受容されたモータ（９３）と、前記モータ（９３）に接続され、かつ前記ハウジング（３００）の外側に延在するシャフト部分を有するシャフト（９０）を含む駆動送信機（９）とを、を備え、前記ハウジング（３００）には、前記ハンドル（２）にシェーバーヘッド（３）を接続するためのコネクタ要素（４００）が提供されており、
前記ハウジング（３００）が、前記モータ（９３）を受容する内側ハウジング（３０１）と、前記内側ハウジング（３０１）を囲む外側ハウジング（３０２）と、を含み、前記シェーバーヘッド（３）を接続するための前記コネクタ要素（４００）が、前記内側ハウジング（３０１）上に提供され、その反対側に前記駆動シャフト（９０）の前記長手方向軸を横断して延在する一対の枢軸を提供する枢軸継手（３１ｂ、３２ｂ）を含み、前記枢軸継手（３１ｂ、３２ｂ）が、前記内側ハウジング（３０１）の適所で固定されることを特徴とする、シェーバーハンドピース。
【請求項９】
前記ハンドル（２）が、細長い形状を有し、その断面が、底部分から前記底部分とは反対側の頂部分まで実質的に連続的に増加する、請求項８に記載のシェーバーハンドピース。
【請求項１０】
前記駆動送信機（９）が、前記シャフト（９０）に強固に接続されたクランク要素（９２）と、前記クランク要素（９２）に強固に接続された少なくとも１つの駆動ピン（９１）と、を更に含み、かつ前記ハンドル（２）に対して固定された配向を有する長手方向の駆動ピン軸を画定し、前記クランク要素（９２）及び前記駆動ピン（９１）が、前記内側ハウジング（３０１）及び前記外側ハウジング（３０２）の外側に位置決めされる、請求項８又は９に記載のシェーバーハンドピース。
【請求項１１】
前記外側ハウジング（３０２）が、前記シャフト（９０）を囲み、かつ前記内側ハウジング（３０１）の最大径よりも小さい内径を有する、リング要素（３０３）を含み、前記リング要素（３０２）は、前記シャフト（９０）が前記内側ハウジングを貫通する前記ハンドル（２）の端部分に位置決めされており、前記外側ハウジング（３０２）が、前記内側ハウジング（３０１）の反対側に位置決めされることになる、かつ互いに接続されることになる、シェル要素（３０４、３０５）を更に含み、前記シェル要素（３０４、３０５）のうちの少なくとも１つが、前記リング要素（３０３）に接続されることになる、請求項８〜１０のいずれか一項に記載のシェーバーハンドピース。
【請求項１２】
前記内側ハウジング（３０１）が、封止された容器を形成し、前記容器の中に、前記モータ（９３）、少なくとも１つの電力貯蔵装置（９４）、及び前記モータ（９３）の動作を制御するための制御ユニットが受容され、前記容器が、円筒体構造を有し、閉鎖された底部を有する細長いカップ要素（３０６）と、前記シャフト（９０）を囲み、かつ前記カップ要素（３０６）を閉鎖する、カバー要素（３０７）と、によって形成され、前記細長いカップ要素（３０６）が、前記内側ハウジング（３０１）の全長の少なくとも約９０％の長さを有し、シェーバーヘッド（３）の前記支持構造（３０）を接続するための全てのコネクタ要素（４００）が、前記内側ハウジング（３０１）の前記カバー要素（３０７）上に提供される、請求項８〜１１のいずれか一項に記載のシェーバーハンドピース。
【請求項１３】
前記内側ハウジング（３０１）には、前記駆動ユニットの前記シャフト（９０）のための第１の開口のみが提供されており、場合によっては、前記第１の開口とは反対側の前記内側ハウジング（３０１）の端部分上の充電接続のための第２の開口が提供されている、請求項８〜１２のいずれか一項に記載のシェーバーハンドピース。
【請求項１４】
前記内側ハウジング（３０１）には、少なくとも１つの表示要素と、前記内側ハウジング（３０１）内に配設されたスイッチング要素と関連付けられた少なくとも１つの軟質材料部分と、が提供されており、前記外側ハウジング（３０２）が、前記少なくとも１つの表示要素を被覆する透明部分を含む、請求項８〜１３のいずれか一項に記載のシェーバーハンドピース。
【発明の詳細な説明】
【技術分野】
【０００１】
本発明は、電気シェーバー、及びそのような電気シェーバーを製造する方法に関する。一態様によると、本発明は、複数の電気シェーバーを備えるシェーバーセットであって、各々が、ハウジングを含むハンドルと、当該ハウジング内に受容されたモータと、当該ハウジングのコネクタ要素に装着された支持構造によって当該ハンドルに接続されたシェーバーヘッドと、当該シェーバーヘッド上に提供され、かつ駆動可能なカッター要素及びせん断フォイルを有する、少なくとも１つのカッターユニットであって、当該カッター要素が、当該カッター要素に当該モータを接続する駆動送信機を介して、当該モータによってカッター振動軸に沿って駆動されるように構成されている、カッターユニットと、を備える。
【０００２】
別の態様によると、本発明は、そのような電気シェーバーのシェーバーハンドピースに関し、ハウジングを有するハンドルと、当該ハウジング内に受容されたモータと、当該モータに接続され、かつその一端から当該ハウジングの外へ延在するシャフトを含む駆動送信機と、を備え、当該ハウジングは、ハンドルにシェーバーヘッドを接続するためのコネクタ要素を備えている。
【０００３】
本発明はまた、そのような電気シェーバーを製造する方法に関し、本方法は、当該電気シェーバーの各々について、モータを収容し、かつ駆動送信機を支持するハウジングを製造することであって、当該ハウジングは、形状及び構造において互いに同一であり、ハンドルにシェーバーヘッドの支持構造を接続するためのコネクタ要素を有する、製造することを含む。
【背景技術】
【０００４】
電気シェーバーは、通常、電気駆動ユニットによって、カッター要素がせん断フォイル下で往復運動する振動様式で駆動される１つ以上のカッター要素を有し、そのようなカッター要素又はアンダーカッターは、細長い形状を有している場合があり、それらの長手方向軸に沿って往復運動し得る。他のタイプの電気シェーバーでは、振動様式又は連続様式で駆動され得る回転カッター要素を用いている。当該電気駆動ユニットは、電気モータ又は磁気タイプのリニアモータを含み得、駆動ユニットは、カッター要素にモータの駆動運動を伝達するための細長い駆動送信機などの要素を有する駆動トレインを含み得、当該モータは、シェーバーのハンドル部分内に受容され得る。
【０００５】
シェーバーヘッド内に位置決めされたモータを有するシェーバーが知られているが、そのようなタイプのシェーバーはいくつかの態様において不利である。例えば、シェーバーヘッドは、追加の重量を得、シェーバー全体は、もはや均衡を保てなくなるが、頭部が重くなり、これにより、シェーバーの快適なハンドリングを損なう。追加として、シェーバーヘッドは、比較的かさばり、それは、鼻と唇との間の顔部分などのより小さな皮膚部分を剃毛することを困難にすることがある。対照的に、ハンドルを形成するハウジング内に収容されたモータを有するシェーバーは、より均衡を保たれたハンドリングを提供し、シェーバーヘッドのよりコンパクトな、より小さな設計を可能にし、これにより、使用者により多くの快適さを与える。
【０００６】
しかしながら、ハンドル内に受容されたモータを有するそのようなタイプのシェーバーでは、異なる使用者の好みと一致するように、シェーバーヘッドの運動学を修正することは困難である場合がある。既知であるように、一部の使用者は、皮膚輪郭に自己適合するようにハンドルに対して移動し得るシェーバーヘッドを自己適合することを好むが、他の使用者は、使用者により多くの制御を与える、より可撓性でない、より強固なシェーバーヘッド構造を有することを好む。ハンドル内にモータを収容するとき、シェーバーヘッド内のカッターユニットにハンドル内のモータを接続する駆動トレインは、異なる運動学を有するシェーバーヘッドのカッター要素を効率的に駆動するための異なるアーキテクチャを有することを必要とする。通常、シェーバーヘッドが枢動及び／又は旋回することを可能にするより多くの可撓性を提供するそのような駆動トレインは、制限された効率のみを達成する。他方、より多くの強固さを提供し、これにより欠損を増加する駆動トレインは、通常、ハンドルに対して制限された自由度のみを有するシェーバーヘッドのために使用可能なだけである。したがって、製造業者は、通常、異なるタイプのシェーバーのために異なる駆動トレイン構造を設計し、それによって製造コストを増加する。
【０００７】
駆動ユニット及び駆動トレインの構造に関係なく、カッター要素は、前述の切断運動に加えて、剃毛される皮膚の輪郭に自己適合するように、様々な他の方向に移動可能であり得る。例えば、カッター要素は、シェーバーのハンドルに対して１つ以上の軸を中心に旋回可能であるシェーバーヘッドの一部であり得、ハンドルにシェーバーヘッドを接続する支持構造は、シェーバーヘッドが、細長いカッター要素及び／又はその往復運動軸と実質的に平行に延在する旋回軸を中心に旋回することを可能にし得る。加えて又は代替的に、支持構造は、シェーバーヘッドが、ハンドルの長手方向軸を横断して、並びに細長いカッター要素及び／又はその往復運動軸を横断して延在する傾斜軸を中心に、傾斜することを可能にし得る。そのようなシェーバーヘッドの移動に加えて、又はその代替として、カッター要素は、シェーバーヘッド内に急落し得、及び／又は、シェーバーヘッドは、剃毛される皮膚輪郭に対して位置を調節するようにハンドルに向かって急落し得る。
【０００８】
シェーバーヘッドの前述の旋回及び／又は傾斜移動を可能にするために、支持構造は、一方で、ハンドルに枢動可能に装着され、他方で、シェーバーヘッドフレームなどのシェーバーヘッド部分に枢動可能に装着された一対のリンクアームによって形成されたいわゆる４つの継手結合を含み得、それぞれハンドル及びシェーバーヘッドにリンクアームを接続する枢動可能な継手は、互いに平行に、及びそのような４つの継手結合によって画定された傾斜軸又は旋回軸に平行に枢軸を画定し得る。リンクアームの旋回又は回転移動に起因して、シェーバーヘッドは、傾斜又は旋回して、その回転位置を調節して、より良く皮膚輪郭に従い得る。
【０００９】
そのような支持構造は、洗浄されることが比較的困難である場合がある。カッター要素から毛髪屑又は毛髪無精ひげは、支持構造及び近隣の表面上で動けなくなり得、シェーバーヘッドの可動性を損ない得るものである角部及び凹部内にケーキ又は付着物を堆積する。
【００１０】
例えば、従来技術のＵＳ２０１０／０１７５２６４Ａ１の参照は、ハンドルに対するシェーバーヘッドのそのような４つの継手結合を示し、リンクアームは、一種の振り子又は吊下げ配設において配設される。ハンドルに傾倒しているインターポーザ部分は、シェーバーヘッド内に上方に突出する２つのポールを含み、リンクアームは、ハンドルに方に戻って下向きに延在する又は吊下がるように、そのようなポールの頂部端部分に枢動可能に取り付けられる。そのような吊下げリンクアームの下端部分は、シェーバーヘッドフレームに枢動可能に接続される。
【００１１】
電気シェーバーのシェーバーヘッドをそのハンドルに移動可能に接続する類似した支持構造は、ＪＰ２０１６−７７４６４Ａの参照によって示され、一対の吊下げリンクアームを含む４つの継手結合も示す。
【００１２】
電気シェーバーのシェーバーヘッドが旋回軸及び傾斜軸を中心に旋回及び傾斜することを可能にする別の支持構造が、ＥＰ２４３５２１８Ｂ１によって示され、クレードル状のハンドル部分に枢動可能に装着され、他方で、上にカッター要素が支持されたカッターフレームを枢動可能に支持するシェーバーヘッドフレームを含むカルダン支持構造を示唆する。
【００１３】
更にまた、ＡＴ４０９６０４Ｂは、振動切断移動に加えて、剃毛される皮膚に対するカッター要素位置の調節を可能にし、かつシェーバーハウジングの長手方向軸と平行な軸を中心に回転自在に振動するように、シェーバーの長手方向軸及びカッター要素の振動軸に垂直な軸を中心に枢動し得る、カッター要素を有する電気シェーバーを示す。カッター要素に駆動モータを接続する送信トレインは、シェーバーハウジングの長手方向軸と平行な枢軸を中心に回転自在に振動する継手構造を含む。
【００１４】
ＵＳ２００９／００２５２２９Ａ１は、電気シェーバーのカッター要素のための駆動ユニットを開示し、駆動ユニットは、シェーバーヘッドに向かってシェーバーハウジングから延在する送信機ピンを含み、当該送信機ピンの振動駆動移動は、シェーバーヘッドにおける振動往復運動のために支持された振動ブリッジを介して、カッター要素上に適用され、当該振動ブリッジは、カッター要素の移動を調節することを可能にするように、継手アームを生ずることを含む。類似した送信アーキテクチャは、ＵＳ７，８４１，０９０Ｂ２から既知である。
【００１５】
その上、ＵＳ２００７／０２４５５７６Ａ１は、皮膚輪郭にブレードカートリッジの多軸回転移動を可能にする複数の枢動軸を中心にハンドルの頂部に枢動可能に支持されたブレードカートリッジキャリアを有するシェーバーを示し、カートリッジは、新しいカートリッジと交換されるように、当該カートリッジキャリアから除去され得る。文書ＣＮ１０１８２３２６６Ａは、案内溝内に摺動可能に受容された一対の案内ピンによってハンドルに対して支持された傾斜可能なシェーバーヘッドを有するシェーバーを開示する。更にまた、文書ＵＳ７５１３３６１Ｂ１は、共通のスーツケース内に収容され、かつ共通の電源に電源コードを介して接続された一組のヘアピンを開示する。
【００１６】
カッター要素の移動を適合することを可能にする更なる電気シェーバーは、ＵＳ３，７４８，３７１Ｂ、ＦＲ１３９１９５７Ａ、ＧＢ８１１，２０７Ｂ、及びＵＳ５，７０４，１２６Ｂから既知である。
【先行技術文献】
【特許文献】
【００１７】
【特許文献１】ＵＳ２０１０／０１７５２６４Ａ１
【特許文献２】ＪＰ２０１６−７７４６４Ａ
【特許文献３】ＥＰ２４３５２１８Ｂ１
【特許文献４】ＡＴ４０９６０４Ｂ
【特許文献５】ＵＳ２００９／００２５２２９Ａ１
【特許文献６】ＵＳ７，８４１，０９０Ｂ２
【特許文献７】ＵＳ２００７／０２４５５７６Ａ１
【特許文献８】ＣＮ１０１８２３２６６Ａ
【特許文献９】ＵＳ７５１３３６１Ｂ１
【特許文献１０】ＵＳ３，７４８，３７１Ｂ
【特許文献１１】ＦＲ１３９１９５７Ａ
【特許文献１２】ＧＢ８１１，２０７Ｂ
【特許文献１３】ＵＳ５，７０４，１２６Ｂ
【発明の概要】
【課題を解決するための手段】
【００１８】
本発明の基礎をなす目的は、従来技術の不利点のうちの少なくとも１つを回避する、及び／又は既存の解決方法を更に発展させる改善された電気シェーバーを提供することである。本発明の基礎をなすより具体的な目的は、電気シェーバーのコスト重視の製造を提供し、皮膚輪郭にシェーバーヘッドを正確に位置決めすることに対して注意を払わず、シェーバーヘッド移動のより多くの制御又はシェーバーのより簡単なハンドリングなどの使用者の異なる好みを満たす。
【００１９】
本発明の基礎をなす更なる目的は、触質性及びハンドリング性がハウジング及び駆動トレインの機械的要件によってより制限されない改善されたシェーバーを提供することである。
【００２０】
本発明の基礎をなすまた更なる目的は、制限された部品点数のみを必要とする簡便な駆動トレイン構造を有するシェーバーヘッドにおけるカッターユニットの効果的な駆動を達成することである。
【００２１】
前述の目的のうちの少なくとも１つを達成するために、複数の異なるシェーバーヘッド構造のためのシェーバーヘッドにおけるカッターユニットと接続されるための駆動トレインを含む同じ基本的なハンドピース構造を使用することが示唆される。シェーバーのハンドピースは、駆動ユニットのモータ、電子部品、及びシェーバーヘッドのカッターユニットにモータを接続するための駆動送信機を含む機能プラットホームを形成し、そのような機能プラットホームは、異なる運動学を提供する多様なシェーバーヘッドを取り付けることによって、異なる使用者の異なる必要性に適合される。一態様によると、形状及び構造において互いに同一で、かつ同一のコネクタ要素を含むハウジングは、異なるシェーバーヘッド及び／又は対応するハウジングにシェーバーヘッドを接続する異なる支持構造のために使用され、以下の３つのタイプのシェーバーヘッド及び／又は支持構造のうちの少なくとも２種類は、ハウジングのそのような１つのタイプに接続され得る：ハンドルに対してシェーバーヘッドの３次元の移動を提供するように構成されている第１の支持構造によってハンドルに接続された第１のタイプのシェーバーヘッド、ハンドルに対してシェーバーヘッドの２次元の移動のみを提供するように構成されている第２の支持構造によってハンドルに接続された第２のタイプのシェーバーヘッド、及びハンドルに対してシェーバーヘッドを強固に保持するように構成されている第３の支持構造によってハンドルに接続された第３のタイプのシェーバーヘッド。異なるシェーバーヘッドの支持構造のいずれとも一致する全てのハウジングのコネクタ要素の同一の構造に起因して、シェーバーヘッドは、互いに対して交換され得、各シェーバーヘッドは、全てのシェーバーのハウジングに選択的に装着され得る。
【００２２】
これにより、異なるタイプのシェーバーヘッド及び／又は支持構造がそのようなハウジングに装着されるが、１つのタイプのハウジングのみが製造される。
【００２３】
更なる態様によると、シェーバーハンドピースは、モータを収容し、かつ当該ハウジングの外側に延在するシャフト部分を有する駆動軸を回転可能に支持するハウジングを有し、当該ハウジングは、ハウジングに異なるタイプのシェーバーヘッドを接続するためのコネクタ要素を備えており、当該ハウジングは、モータを受容する内側ハウジング、及び内側ハウジングを囲む外側ハウジングを含み、シェーバーヘッドを接続するための当該コネクタ要素は、当該内側ハウジング上に提供され、その反対側に駆動シャフトの長手方向軸を横断して延在する一対の枢軸を提供する枢軸継手を含む。そのような枢軸継手は、枢軸を提供するように構成されている支持構造のリンクアームを枢動可能に接続することを可能にし、その枢軸を中心に、シェーバーヘッドは、ハンドルに対して枢動又は傾斜し得る。それでも、コネクタ要素のそのような枢軸は、使用される必要はないが、シェーバーヘッドの傾斜運動を阻止するために、そのようなコネクタ要素に支持ヨークなどのより強固な構造を接続することも可能である。
【００２４】
異なる運動学を有するシェーバーヘッドの前述の異なる支持構造は、ハンドルのハウジング上の同じコネクタ要素に、特に前述の枢軸に接続され得る。
【００２５】
代替的に、ハンドルの当該ハウジングは、異なるシェーバーヘッドの異なる支持構造に接続するための異なる組のコネクタ要素を有し得る。しかしながら、ハンドピースの単純構造及びコンパクトで滑らかな設計を達成するために、ハンドルのハウジングが、全ての異なるタイプのシェーバーヘッド及びその支持構造が接続され得るコネクタ要素の組のみを有することが可能である。
【００２６】
支持構造の異なる構造を回避し、かつそのような異なる支持構造のシェーバーハンドピースとの衝突することを可能にするために、それは、ハンドルからシェーバーヘッドを明確に分離すること、並びにシェーバーヘッド部分のハンドル内への（及びその逆も同じ）相互貫通又は交錯を回避することを補助し得る。より具体的には、シェーバーヘッドは、シェーバーヘッドの底面とハンドルの頂面との間で画定された隙間を有するハンドルから離間されて位置決めされ得、当該隙間は、当該支持構造の周りでシェーバーの外側輪郭における周辺又は周囲収縮を形成し、かつ当該隙間を架橋する支持構造にアクセスを与える。シェーバーヘッド及びハンドルの互いからのそのような開放された周囲及び分離に起因して、空気は、支持構造上に吹き付けられ得るか、又は水は、隙間を通してすすがれて、シェーバーヘッドの支持構造及び底面、並びに／若しくはハンドルの頂面を洗浄して、毛髪粒子及び付着物を除去し得る。加えて、シェーバーヘッドとハンドルとの間のそのような間隔は、これらの２つの要素の間の衝突の制限を伴わずに、ハンドルに対してシェーバーヘッドを移動させる自由度を増加し、そのような追加の自由は、細長いシェーバーヘッドの主軸に垂直な傾斜軸を中心に細長いシェーバーヘッドを傾斜させるのに特に有効である。
【００２７】
当該隙間は、シェーバー本体の実質的にリング形状の狭窄部、又はハンドルのハウジングとシェーバーヘッドハウジング（若しくはシェーバーヘッドの外側輪郭）との間に延在するハウジング隙間を形成し得、リング形状は、閉鎖された円形を必ずしも意味するというわけではないが、閉鎖されても閉鎖されなくてもよく、又はスロット付であってもよい私の、卵形又は楕円リングなどの他の輪郭を含む。当該実質的にリング形状の狭窄部は、中心ネック部分を実質的に完全に囲み得る。言い換えると、シェーバー本体は、互いからこれらの２つの構成要素を明確に分離する、ハンドルとシェーバーヘッドとの間に形成されたネックを有する。
【００２８】
更なる態様によると、電気シェーバーは、シェーバーヘッドとハンドルとの間の枢軸結合（複数可）及び／又は４つの継手結合（複数可）に関して第１のタイプの支持構造を提供して、シェーバーヘッドがハンドルに対して旋回及び／又は傾斜することを可能にし得、当該４つの継手結合は、一対のリンクアームを含み、そのリンクアームの各々は、シェーバーヘッド部分に枢動可能に接続するヘッド継手、及びハンドル又はそのようなハンドルに接続された基部に接続するハンドル継手を有する。そのようなリンクアームは、前述の隙間を介して被覆されない及び／又は自由にアクセス可能であり、このように、リンクアームの容易な洗浄がその可動性を維持することを可能にし得る。シェーバーヘッド全体のそのような傾斜運動が所望されない場合、そのようなリンクアームの枢動は、阻止され得、それは、前述の４つの継手結合の枢動可能なヘッド継手及び／又は枢動可能なハンドル継手をロックすることによって容易に達成され得る。例えば、当該リンクアームは、それらが枢動することができないように、シェーバーヘッドフレームの一体的な、強固な部分として形成され得るが、それらは、ハンドルを形成するハウジングにおいて依然として枢動可能に支持され得る。それでも、そのような傾斜移動が所望される場合、例えば、螺合及び／又は溶接及び／又は接着によって、ハンドルのハウジングにそのようなリンクアーム又は結合を強固に接続することも可能であろうことが述べられるべきである。
【００２９】
より具体的には、当該一対のリンクアームは、シェーバーヘッド部分に接続するリンクアームのヘッド継手が、ハンドル又は基部に接続するリンクアームのハンドル継手よりもハンドルから更に離れている、起立構成に配設され得る。
【００３０】
これら及び他の優位点は、図面及び可能な例に言及する以下の説明から明らかになる。
【図面の簡単な説明】
【００３１】
【図１】シェーバーが支持構造によってハンドルに接続された電気シェーバーの斜視図である。
【図２ａ】シェーバーヘッド及びその支持構造の断面図であり、部分図（ａ）及び（ｂ）は、異なる傾斜位置におけるシェーバーヘッドを示し、シェーバーヘッドの支持構造の第１のものによって許容された傾斜を例示する。
【図２ｂ】シェーバーヘッド及びその支持構造の断面図であり、部分図（ａ）及び（ｂ）は、異なる傾斜位置におけるシェーバーヘッドを示し、シェーバーヘッドの支持構造の第１のものによって許容された傾斜を例示する。
【図３ａ】シェーバーヘッドの異なる支持構造の更なる概略図であり、その異なる運動学を例示し、部分図（ａ）は、シェーバーヘッドが旋回及び傾斜することを可能にする支持構造を例示し、部分図（ｂ）は、シェーバーヘッドが旋回することを可能にする支持構造を例示し、部分図（ｃ）は、ハンドルにシェーバーヘッドを固定的に取り付ける支持構造を例示する。
【図３ｂ】シェーバーヘッドの異なる支持構造の更なる概略図であり、その異なる運動学を例示し、部分図（ａ）は、シェーバーヘッドが旋回及び傾斜することを可能にする支持構造を例示し、部分図（ｂ）は、シェーバーヘッドが旋回することを可能にする支持構造を例示し、部分図（ｃ）は、ハンドルにシェーバーヘッドを固定的に取り付ける支持構造を例示する。
【図３ｃ】シェーバーヘッドの異なる支持構造の更なる概略図であり、その異なる運動学を例示し、部分図（ａ）は、シェーバーヘッドが旋回及び傾斜することを可能にする支持構造を例示し、部分図（ｂ）は、シェーバーヘッドが旋回することを可能にする支持構造を例示し、部分図（ｃ）は、ハンドルにシェーバーヘッドを固定的に取り付ける支持構造を例示する。
【図４】シェーバーヘッド及びその支持構造の斜視断面図であり、４つの継手結合のリンクアームと、往復運動様式でカッター要素を駆動するように、ハンドルからシェーバーヘッド内に支持構造を通して延在する駆動シャフトとを示す。
【図５ａ】シェーバーヘッド異なる支持構造の分解斜視図であり、部分図（ａ）は、シェーバーヘッドが旋回及び傾斜することを可能にする支持構造を例示し、部分図（ｂ）は、シェーバーヘッドが旋回することを可能にする支持構造を例示し、部分図（ｃ）は、ハンドルにシェーバーヘッドを固定的に取り付ける支持構造を例示する。
【図５ｂ】シェーバーヘッド異なる支持構造の分解斜視図であり、部分図（ａ）は、シェーバーヘッドが旋回及び傾斜することを可能にする支持構造を例示し、部分図（ｂ）は、シェーバーヘッドが旋回することを可能にする支持構造を例示し、部分図（ｃ）は、ハンドルにシェーバーヘッドを固定的に取り付ける支持構造を例示する。
【図５ｃ】シェーバーヘッド異なる支持構造の分解斜視図であり、部分図（ａ）は、シェーバーヘッドが旋回及び傾斜することを可能にする支持構造を例示し、部分図（ｂ）は、シェーバーヘッドが旋回することを可能にする支持構造を例示し、部分図（ｃ）は、ハンドルにシェーバーヘッドを固定的に取り付ける支持構造を例示する。
【図６】分解されたシェーバーの概略斜視図である。
【発明を実施するための形態】
【００３２】
一態様によると、異なるタイプのシェーバーヘッド及びその支持構造がそのようなハンドピースに接続されるが、様々な異なるシェーバーのハンドピースは、同じ構造及び輪郭を有する機能プラットホームとして形成される。より具体的には、そのようなハンドピースプラットホームは、駆動ユニットのモータを受容し、かつシェーバーヘッドのカッターユニットにモータを接続する駆動シャフトを回転可能に支持するハウジングを含み、そのようなハウジングは、ハウジングに異なるタイプのシェーバーヘッドを接続するためのコネクタ要素を含む。
【００３３】
ハンドルに対してカッター振動軸及び駆動トレインのシャフトを実質的に横断して延在する傾斜軸を中心に傾斜し得る傾斜可能なシェーバーヘッドへの接続を可能にするために、ハウジングのそのようなコネクタ要素は、その反対側の駆動シャフトの長手方向軸を横断して延在する一対の枢軸を提供する一対の枢軸継手を含み得る。「横断して」は、数学的な意味で正確に垂直であるということを必ずしも意味するというわけではなく、９０°±２５°又は９０°±°１５°などの少なくともおおよそ垂直であるということを意味するとみなされ得る。
【００３４】
ハウジングは、モータが受容された内側ハウジングと、シェル状様式で当該内側ハウジングを囲む外側ハウジングとを備えるマルチシェル構造を有し得、前述のコネクタ要素は、シェーバーヘッドからモータ支持まで（及びその逆も同じ）の力及びトルクの比較的直接の送信を達成して、それによって、駆動効率を改善するように、内側ハウジング上に提供される。内側ハウジングを囲む前述の外側ハウジングに関して、ハウジングが外側シェルを含むが、シェーバーヘッドの支持構造は、外側ハウジングに接続されないが、モータを支持する内側ハウジング、及びモータに接続されたシャフトに直接接続され、シェーバーヘッドに向かってハウジングの外側に延在するシャフト部分を含む。これにより、外側ハウジングは、ハウジングの支持機能によって制限されることなく使用者の触覚の好みを満たすように設計され得る。
【００３５】
内側ハウジングは、封止された、特に防水容器を形成し得、その容器の中で、モータ、バッテリ、又はアキュムレータ、又は他の電源、及びモータを制御するための電子制御ユニットは、受容され、液体及び水分から保護され、当該容器は、円筒体構造を有し、閉鎖底部及び開放頂面側を有する細長いポット又はカップによって形成され得、モータ、電子制御ユニット、及びバッテリは、内側ハウジングを形成する円筒体状の容器の前面を形成し得るカバー要素によって、その開放頂面側で閉鎖され得る内側ハウジングのそのようなカップ要素内に完全に受容され得る。
【００３６】
これにより、内側ハウジングを形成する円筒体状の容器は、２ピース（すなわち前述のカップ要素及びカバー要素）のみを備える２ピース構造を有し得る。内側ハウジングのそのような２ピースの構造は、容器を防水にするのに必要な封止手間をかなり低減する。特に、カップ要素とカバー要素との間のインターフェースを封止するために１つのリング形状シールのみを使用することが十分であり得、卵形又は楕円輪郭などの他の輪郭が可能であろうが、そのようなインターフェースは円形構成を有し得る。
【００３７】
前述のカップ要素は、内側ハウジングの全長にわたって実質的に延在する細長い構成を有し得、内側ハウジングの及び／若しくはハンドルの少なくとも８０％又は９０％に対応する長さを有し得るが、カバー要素は、内側ハウジングの長さ及び／若しくはハンドルの長さの２０％未満又は１０％未満の長さを有し得る。そのようなカバー要素は、ディスク状又はプレート状構成を有し得、わずかにドーム形状又は凸面輪郭を有し得る。
【００３８】
シェーバーヘッドの支持構造への接続のためのハウジングのコネクタ要素は、前述のカバー要素上に提供され得る。
【００３９】
内側ハウジングのカバー要素及びカップ要素は、互いに強固に接続され得、形態嵌め、螺合、溶接、接着、及び／又はスナップ嵌めなどの様々な既知の種類の接続技法が使用され得る。
【００４０】
内側ハウジング内の適所にモータ及び／又は電子制御ユニット及び／又はバッテリを保持するように、前述の構成要素が取り付けられた支持フレームは、カップ要素内に挿入され得、適所にそこに保持され得、例えば、案内溝及び／又は案内突起などの摺動可能案内要素が提供され得る。そのような支持フレームは、電子制御ユニットの一部を形成する回路基板によって形成されるか、又はそれを含み得る。カッターユニットを駆動するためのシャフトは、内側ハウジングのカップ要素及び／又はカバー要素に取り付けられた及び／又はそれらによって形成された１つの軸受又は複数の軸受によって回転可能に支持され得る。
【００４１】
内側ハウジングを封止することを補助するように、内側ハウジングは、シャフトが突出するカバー要素内の開口であり得る１つの開口のみを有し得る。任意選択的に、第２の開口が、第２の開口が充電接続のために提供され得るカバー要素の反対側の端部分に存在し得る。しかしながら、そのような第２の開口は、内側ハウジングに充電コネクタを一体化することによって、例えば、内側ハウジングの一体部分となるように充電ピンを成形することによって、回避され得る。
【００４２】
内側ハウジングの内部の制御ユニットとの連通を許可するように、内側ハウジングは、内側ハウジングの内部に位置決めされたスイッチを起動するように変形されることを可能にする軟質材料部分を含み得る。加えて又は代替的に、内側ハウジングは、情報を表示するための表示手段を備え得、そのような表示要素は、内側ハウジングの表面の一部を成形及び／又は形成することによって、内側ハウジング内に一体化され得る。
【００４３】
内側ハウジングのスイッチ手段と関連付けられた前述の軟質材料部分にアクセスを許可するように、外側ハウジングはまた、内側ハウジングの軟質材料部分が変形され得る軟質材料部分及び／又は凹部若しくは開口を有し得る。加えて又は代替的に、そのような表示手段が外側ハウジングの透明部分を通して視認可能であるように、外側ハウジングは、内側ハウジングの前述の表示手段を被覆する透明部分を含み得る。代替的に又は加えて、表示が見られる凹部又は開口を外側ハウジングに提供することも可能であろう。
【００４４】
外側ハウジングは、互いに接続され、かつ内側ハウジングの異なる部分を被覆し得る複数のシェル要素を備える２ピース又は３ピース又は複数ピースのシェル構造を有し得る。特に、外側ハウジングは、内側ハウジングの反対側に延在し、かつ互いに接続可能な２つのシェル要素を備え得る。そのようなシェル要素は、２つのシェル要素が実質的に完全に内側ハウジングを一緒に囲み得るように、大まかに言うと、実質的にフルート状又はシュート状の輪郭を有し得る。
【００４５】
そのようなシェル要素に加えて、外側ハウジングは、前述のシェル要素のうちの少なくとも１つと接続されることになるリング要素を更に含み得る。そのようなリング要素は、強固で、強力な外側ハウジング構造を形成するのを補助し得、そのようなリング要素は、シェーバーヘッドに対向するハウジングの端部分に位置決めされ得る。より具体的には、そのようなリング要素は、シャフトを囲み得、内側ハウジングの最大径よりも大幅に小さい内径を有し得る。
【００４６】
そのような内側リングは、内側ハウジングのカバー要素のリング部分を被覆し得、及び／又はシェーバーヘッドの支持構造を接続するためのコネクタ要素が提供される内側ハウジングの部分を囲み得る。これにより、そのようなリング要素は、シェーバーヘッドに対向する外側ハウジングの前面側を形成し得、したがって、駆動ユニットのシャフトがシェーバーヘッドに向かってハウジングから突出する領域における強固さ及び強度を外側ハウジング構造に与え得る。
【００４７】
そのようなハウジング構造は、異なるタイプのシェーバーヘッドを有する異なるシェーバーについて同じであり得る。より具体的には、以下のシェーバーヘッド構造は、ハウジングに取り付けられ得る：ハンドルに対してシェーバーヘッドの３次元の移動を提供するように構成されている第１の支持構造によってハンドルに接続された第１のタイプのシェーバーヘッド、ハンドルに対してシェーバーヘッドの２次元の移動のみを提供するように構成されている第２の支持構造によってハンドルに接続された第２のタイプのシェーバーヘッド、及びハンドルに対してシェーバーヘッドを強固に保持するように構成されている第３の支持構造によってハンドルに接続された第３のタイプのシェーバーヘッド。
【００４８】
これにより、異なるタイプのシェーバーヘッド及び／又は支持構造がそのようなハウジングに装着されるが、１つのタイプのハウジングのみが製造される。
【００４９】
更なる態様によると、シェーバーハンドピースは、モータを収容し、かつ当該ハウジングの外側に延在するシャフト部分を有する駆動軸を回転可能に支持するハウジングを有し、当該ハウジングは、ハウジングに異なるタイプのシェーバーヘッドを接続するためのコネクタ要素を備えており、当該ハウジングは、モータを受容する内側ハウジング、及び内側ハウジングを囲む外側ハウジングを含み、シェーバーヘッドを接続するための当該コネクタ要素は、固定された、非置換可能な様式で、当該内側ハウジング上に提供され、その反対側に駆動シャフトの長手方向軸を横断して延在する一対の枢軸を提供する枢軸継手を含む。そのような枢軸継手は、当該内側ハウジンに適所に、すなわち固定配向の互いからの固定距離における固定位置に固定され、枢軸を提供するように構成されている支持構造のリンクアームを枢動可能に接続することを可能にし、その枢軸を中心に、シェーバーヘッドはハンドルに対して枢動し得る。それでも、そのような枢軸は、使用される必要はないが、シェーバーヘッドの傾斜運動を阻止するためにそのようなコネクタ要素に支持ヨークなどのより強固な構造を接続することも可能である。
【００５０】
シェーバーの人間工学を更に改善し及び／又は剃毛される皮膚の輪郭に対してシェーバーヘッドを自動調節することを可能にするために、ハンドルにシェーバーヘッドを接続する前述の第１及び第２のタイプの支持構造は、ハンドルに対するシェーバーヘッドの移動を調節することを可能にするように構成され得る。特に、支持構造は、ハンドルに対して少なくとも１つの回転軸を中心にシェーバーヘッドの旋回移動を可能にするように構成され得る。例えば、支持構造は、シェーバーヘッドがハンドルに対して傾斜及び／又は旋回し得るように、ハンドルの長手方向軸に実質的に垂直に延在する傾斜軸及び／又は旋回軸を提供するように構成され得る。
【００５１】
一態様によると、当該第１のタイプのシェーバーヘッドの支持構造は、一方で、ハンドル又はハンドルに枢動可能に接続された基部に接続され、他方で、シェーバーヘッドに枢動可能に接続された少なくとも２つのリンクアームを備える４つの継手結合を含み得、それぞれハンドル及びシェーバーヘッドにリンクアームを接続する枢軸は、実質的に互いに平行に延在し得る。
【００５２】
例えば、４つの継手結合のリンクアームは、シェーバーヘッドを考慮するときに、ピッチ屋根状又はΛ構成で、その中立又は非回転位置で配設され得、その構成では、リンクアームの各々は、ハンドルの長手方向軸を収容する中心面、及び／又はリンクアームのハンドル継手の間の中央の中心面に向かってわずかに傾斜され、リンクアームのそのようなハンドル継手を通過する枢軸と平行に延在する。例えば、細長いリンクアームは、そのような中心面に対して５°〜４５°又は１０°〜２５°の範囲である鋭角で、それらの長手方向軸に延在し得るが、しかしながら、他の構造も可能である。
【００５３】
シェーバーヘッドのそのような傾斜運動が所望されない場合、第２のタイプのシェーバーヘッドは、リンクアームがもはや枢動することができないように、強固なヨークの一部であり得る一対の強固なリンクアームを含むリンクアーム構造によって、シェーバーのハウジングに取り付けられ得る。そのようなリンクアーム構造は、ハンドルの内側ハウジングのカバー要素上に提供された前述の枢軸継手に依然として接続され得る。代替的に、内側ハウジングのカバー要素上に提供された他のコネクタ要素にそのような強固なリンクアーム構造又は支持構造を接続することも可能であろう。例えば、そのような強固な構造は、ねじによって内側ハウジングに固定され得る。
【００５４】
内側ハウジングへの枢動可能又は強固な接続に関係なく、シェーバーヘッドの支持構造は、カッターユニットフレームの旋回移動を可能にするように、旋回軸を依然として含み得、そのフレームにおいて、カッターユニットは、カッター振動軸と実質的に平行な旋回軸を中心に支持される。
【００５５】
シェーバーヘッドのそのような旋回移動がいずれも所望されない場合、いずれの傾斜軸も有せず、かついずれの旋回軸も有しない完全に強固な支持構造によって、ハウジングに第３のタイプのシェーバーヘッドを取り付けることが可能である。「完全に強固な」とは、機械的理論に関して完全に強固な構造を必ずしも意味するわけではないが、材料が制限された強固さを有する場合に、より実践的な意味で理解されることになる。
【００５６】
同じタイプのハンドピースに接続されることになるシェーバーヘッドの種類に対するより少ない制限を有するために、それは、ハンドピースのシェーバーヘッドとハウジングとの間のいくらかの距離を生成することを補助し得る。
【００５７】
別の態様によると、リンクアームのハンドル継手の間の距離は、リンクアームのヘッド継手の間の距離よりも大きい場合があり、距離の差は、異なるように選択され得る。例えば、ハンドル継手の間の距離は、ヘッド継手の間の距離の１０５％〜２００％又は１２０％〜１５０％の範囲内であり得るが、しかしながら、距離のそのような差は、リンクアームの長さと共に変動し得る。
【００５８】
リンクアームのハンドル点とヘッド点との間の距離の差に関係なく、リンクアームの長さは、ハンドルに対してシェーバーヘッドのコンパクトな配設を可能にするように、比較的短いものを選択され得る。特に、支持構造の高安定性とコンパクトな配設を組み合わせるように、リンクアームの各々は、リンクアームのハンドル継手の間の距離よりも短い、及び／又はリンクアームのヘッド継手の間の距離よりも短い長さを有し得る。
【００５９】
支持構造の異なる構造を可能にすることを補助するために、シェーバーヘッドは、ハンドルから離れて移動されて、そこから離間して位置決めされており、そのため、隙間が、互いに対向しているシェーバーヘッドの底面とハンドルの頂面との間に形成され、そのため、全体としてシェーバーを考慮するとき、シェーバーの外側輪郭には、シェーバーヘッドとそれに隣接したハンドルの端との間の有意な、実質的にリング形状の周辺収縮が提供されており、その収縮は、ハンドルの頂面及びシェーバーヘッドの底面の中心領域に位置決めされ得る前述の支持構造を囲み、リング形状は、閉鎖された円形を必ずしも意味するわけではないが、閉鎖されても閉鎖されなくてもよく、又はスロット付であってもよい私の、卵形又は楕円リングなどの他の輪郭を含む。当該実質的にリング形状の狭窄部は、中心ネック部分を実質的に完全に囲み得る。言い換えると、シェーバー本体は、互いからこれらの２つの構成要素を明確に分離する、ハンドルとシェーバーヘッドとの間に形成されたネックを有する。
【００６０】
そのような収縮及び前述の隙間に起因して、シェーバーヘッドの実質的に全ての底面及びハンドルの実質的に全ての頂面は、周囲から被覆されず、かつ視認可能であり得る。シェーバーヘッド部分がハンドルの凹部内に、又はその内部に貫通していた、及びハンドル部分がシェーバーヘッド内に相互に貫通していた以前のシェーバーヘッド設計に反して、シェーバーヘッドの分離された底面及びハンドルの頂面は、そのような相互貫通部分又は交錯部分の除去に起因して、より容易に洗浄され得る。その上、シェーバーヘッドの底面及びハンドルの頂面は、ポケット又は突起又は縁部及び角部を実質的に伴わない、滑らかな輪郭を有し得、それによって、シェーバーヘッドの底面及びハンドルの頂面の毛髪屑付着物を回避し得る。
【００６１】
シェーバーヘッドの底面とハンドルの頂面との間の間隔は、測定される位置に応じて変動し得る。別の態様によると、当該隙間は、その最小区分で、３ｍｍ超又は５ｍｍ超又は１０ｍｍ超の幅を有し得、当該幅は、ハンドルの頂面からのシェーバーヘッドの底面の距離に対応する。特に、そのような幅は、ハンドルの長手方向軸と平行な軸に沿って測定され得、すなわち、シェーバーヘッドの底面とハンドルの頂面との間の前述の距離は、ハンドルの長手方向軸と実質的に平行であるとみなされ得る。
【００６２】
前述のハンドルの頂面及びシェーバーの底面の各々は、凸面、特に、ドーム形状輪郭を有し得、ハンドルとシェーバーヘッドとの間の隙間の前述の最小幅が、それらの頂面及び底面の中心領域に（例えば、ハンドルを通して中心長手方向軸の近くに）位置決めされるように、互いに対して位置決めされ得る。隙間の当該幅、及び／又はハンドルの頂面とシェーバーヘッドの底面との間の距離は、これらの頂部及び底面の外周に向かって連続的に増加し得る。シェーバーの中心に向かって減少する隙間幅を提供するそのようなドーム形状輪郭は、空気を吹き付ける又は水をすすぐ速度を増加させる漏斗に類似した様式で、支持構造並びに頂部及び底面の内側部分を洗浄するのを補助する。
【００６３】
シェーバーの改善された人間工学的ハンドリングを提供するために、シェーバーヘッドは、ハンドルの長手方向軸に鋭角にハンドルの前側に向かって傾斜された機能性表面を有し得、当該鋭角は変動し得る。例えば、当該鋭角は、又は４５°〜８５°、又は、例えば、５５°〜８０°の範囲であり得る。そのような傾斜は、非自然位置で手又は腕を曲げることなく剃毛されるように、皮膚と平行な当該機能性表面を有するシェーバーを保持することをより容易にする。前述の機能性表面は、少なくとも１つのカッターユニットが位置決めされたシェーバーヘッドの表面であり、例えば、一対のそのような細長いカッターユニットは、そのような機能性表面上で互いに平行に位置決めされ得る。長髪カッター及び／又は冷却要素及び／又は潤滑要素などの追加の機能要素はまた、そのような機能性表面上に位置決めされ得、例えば、長髪カッターは、その側面に沿って一対の切断ユニットの間に位置決めされ得る。
【００６４】
シェーバーヘッドがその機能性表面と共に傾斜されるハンドルの前述の前側は、ハンドルの側面であるとみなされ得、それは、ハンドルが手で掴まれるときに開放しているか若しくは触れないままであり、及び／又はシェーバーを掴み、それを見る使用者に対向する。通常、オン／オフキー又はスイッチなどの少なくとも１つの操作キーは、ハンドルのそのような前側に位置決めされ得る。
【００６５】
ハンドルを全体として考慮するとき、ハンドルは、細長い形状を有し得、その断面は、ハンドルの底面からハンドルの当該底面の反対側のハンドルの頂面まで実質的に連続的に増加し得る。言い換えると、ハンドルの断面は、シェーバーヘッドに向かって連続的に増加し得る。断面形状は変動し得、そのような断面形状は、実質的に丸及び／又は円形及び／又は楕円及び／又は卵形であり得る。「実質的に連続的に」とは、断面が増加しない、表示部分又は操作キー部分などのいくつかの部分を除外しない。それでも、より大きい割合を考慮するとき、ハンドルの断面は、底部端部分から頂部端部分まで増加し得る。
【００６６】
シェーバーヘッドの支持構造は、少なくとも部分的に、シェーバーヘッドとハンドルとの間の当該隙間を介して被覆されない及び／又は自由にアクセス可能であり得る。そのような被覆されない配設は、それらのリンクアームの可動性を損なう可能性のある毛髪の剃り痕及び付着物を除去するためのリンクアームの容易な洗浄を可能にする。
【００６７】
加えて、駆動送信機は、ハンドルからシェーバーヘッドの内部に延在するシャフト又はシャフト状の細長い駆動要素を含み得る。そのような駆動送信機は、少なくとも部分的に被覆されない場合があるか、又はそれは、当該隙間を通して延在するスリーブ状の細長い送信機ハウジング内に受容され得る。
【００６８】
これにより、支持構造が前述の一対のリンクアームを含むとき、３つの要素は、ハンドル及びシェーバーヘッド（すなわち、当該一対のリンクアーム及び駆動送信機）を架橋し得る。一態様によると、当該駆動送信機は、ハンドルとシェーバーヘッドとの間の隙間を通して当該リンクアームから離れて延在し、それと離間して、それらの要素の各々の洗浄を可能にし得る。これらの３つの別個の要素のコンパクトな配設を達成するように、駆動送信機は、当該一対のリンクアームの間の中央又は中心に配設され得る。しかしながら、駆動送信機はまた、リンクアームを収容する平面からオフセットされ得る。
【００６９】
支持構造を通過する駆動トレイン、特に、前述の４つの継手結合は、ハンドル及び／又はシェーバーヘッドの中心領域に延在し得、それは、４つの継手結合の前述のリンクアームの間の領域を通して延在し得る。言い換えると、リンクアームは、駆動トレインの反対側に位置決めされ得、及び／又は前述の駆動シャフト若しくは細長い送信機をそれらの間に挟み得る。代替的に、リンクアームは、駆動トレイン又は送信機の一方の側に提供され得る。例えば、リンクアームは、駆動トレインがリンクアームの一方の側で支持構造を通過するように、リンクアームによって画定された回転軸の方向にオフセットされ得る。加えて又は代替的に、リンクアームはまた、リンクアームによって画定された回転中心に垂直な方向にそのような送信機に対してオフセットされる可能性がある。
【００７０】
前述したようにそのようなシャフトの回転振動を少なくとも１つのカッター要素の線形振動に変換するように、クランクアームは、シャフトに取り付けられ得、そのようなクランクアームは、シェーバーヘッド内に位置決めされ得、及び／又はカッター要素を駆動するための少なくとも１つの駆動ピンを支持し得る。例えば、そのような駆動ピンは、シャフトと実質的に平行に延在し得、シャフト軸に関して偏心して延在するように、クランクアームに固定的に取り付けられ得る。クランクアームが、その中立位置で、カッター要素の所望の線形振動に実質的に垂直に延在するとき、そのような駆動ピンは、所望のカッター要素振動に正接する曲線経路に沿って移動させられて、これにより、ほぼ線形の振動を実行する。
【００７１】
これら及び他の特徴は図面に示す例から明らかになる。図１から分かるように、シェーバー１は、シェーバーを保持するためのハンドル２を形成するシェーバーハウジング３００を有していてもよい。ハンドルは、異なる形状を有していてもよく、例えば、大まかに言うと、シェーバーを人間工学的に掴む又は保持することを可能にする実質的に円筒形状又は箱形又は骨形状である。そのようなシェーバーハンドル２は、ハンドルの細長い形状（図１を参照）に起因して長手方向軸２０を有する。
【００７２】
より具体的には、ハンドル２は、丸又は円形又は卵形又は楕円である断面形状を有し得、それらの形状の混合が可能である。断面形状に関係なく、断面は、ハンドルの一端から他端まで連続的に増加し得る。
【００７３】
ハンドル２の一端で、シェーバーヘッド３は、ハンドル２に取り付けられ、第１の構成において、シェーバーヘッド３は、旋回軸７を中心に、及び傾斜軸１１を中心に旋回可能に支持され得、その旋回軸及び傾斜軸７及び１１は、実質的に互いに垂直に、及び前述の長手方向ハンドル軸２０に垂直に延在し得る。
【００７４】
シェーバーヘッド３の楕円形の主軸４０を考慮するとき、旋回軸７は、そのような主軸４０と平行に延在し得るが、傾斜軸１１は、そのような主軸４０に垂直に延在し得る。そのような主軸４０は、シェーバーヘッド３のより大きな側面と平行に、及び／又は細長いカッター要素４の長手方向軸と平行に、及び／又はカッター振動軸８と平行に、及び／又は長手方向ハンドル軸２０に実質的に垂直に延在するとみなされ得る。図１から分かるように、シェーバーヘッド３は、大まかに言うと、一対のより大きな側面５５及び５７がハンドル２から反対の方向に対向している機能性表面５６の反対側に配設された細長い箱形形状を有し得る。図１から分かるように、シェーバーヘッド３の前述の箱形は、数学的な直方体又は平行六面体を少なくとも必ずしも意味しないが、丸み付き縁部及び／若しくは丸み付き角部並びに／又はわずかに凸曲面及び／又は凹曲面を含み得る。
【００７５】
シェーバーヘッド３は、前述の主軸４０と平行に延在し得る往復運動軸８に沿って往復運動様式で駆動され得る細長いカッター要素４を各々備える一対の細長いカッターユニット１００を含み得る。当該カッター要素４は、当該カッター要素４を被覆するせん断フォイル５と協働し、その下で往復運動し得る。
【００７６】
上述のカッター要素４は、シェーバーヘッド３に対して、又はより具体的には、シェーバーヘッドフレーム６に対して移動可能に支持され得、これによって、一方で、カッター要素４は、旋回軸７及び傾斜軸１１を中心に、シェーバーヘッド３と一緒に旋回及び傾斜し得、他方で、カッター要素４は、シェーバーヘッドフレーム６に対して切断又は往復運動軸８に沿って振動し得、当該往復運動軸８は、細長いカッター要素４の長手方向軸と平行に延在し得る。これらの自由度に加えて、カッター要素４は、追加の軸に沿って及び／又はそれを中心にシェーバーヘッドフレーム６に対して移動可能であり得る。例えば、カッター要素４は、シェーバーヘッド３に急落し得、すなわち、それは、シェーバーヘッド３がそれと整列された位置にあるとき、長手方向ハンドル軸２０と実質的に平行な軸に沿って変位され得る。
【００７７】
シェーバーヘッド３は、前述の一対のカッター要素４の間に又はその側面に沿って配設され得る長髪カッターなどの更なる機能要素を含み得る。更にまた、線形に振動している前述の細長いカッター要素４に加えて、又はその代替として、回転するか、又は回転自在に振動し得る回転型のカッター要を提供することが可能であろうと言うべきである。
【００７８】
前述したように、ハンドル２の断面は、その一端から他端まで増加し得る。より具体的には、断面は、シェーバーヘッド３に向かってより大きくなり得、断面は、ハンドルの底面２０７から頂面２０２まで連続的に及び／又はわずかに増加し得る。
【００７９】
図１〜図３から分かるように、シェーバーヘッド３は、支持構造３０によってハンドル２上に支持され、支持構造３０は、第１の構成において、平行軸を中心に枢動し得る一対のリンクアーム３１及び３２を備え得る４つの継手結合３３を含み得る。そのようなリンクアーム３１及び３２は、図５ａに示されるように、Ｕ字形状断面を含むバー形状又はフレーム状構造を有し得る。
【００８０】
当該リンクアーム３１及び３２は、直立、起立構成で配設され、その構成では、シェーバーヘッド３に接続されたそれらのリンクアーム３１及び３２の端部分は、ハンドル２に接続されたそれらのリンクアーム３１及び３２の反対側端部分又はそのようなハンドル２に接続された基部４５よりもハンドル２から更に離れている。言い換えると、ハンドル２より上にシェーバーヘッド３との直立位置においてシェーバー１を考慮するとき、リンクアーム３１及び３２の上端部分は、シェーバーヘッド部分に接続されるが、リンクアーム３１及び３２の下端部分は、ハンドル２又はその上に装着された基部に接続される。
【００８１】
シェーバーヘッド３の主軸４０が長手方向ハンドル軸２０に実質的に垂直に延在するシェーバーヘッド３の中立又は非傾斜位置において、リンクアーム３１及び３２は、長手方向ハンドル軸２０（図２（ａ）参照）を収容する中心面に関して対称的に配設され得る。より具体的には、リンクアーム３１及び３２は、鋭角でそのような中心面に対して傾斜し得る。
【００８２】
図２及び図３から分かるように、リンクアーム３１及び３２がハンドル２又は基部４５に枢動可能に接続されたハンドル継手３１ｂ及び３２ｂは、リンクアーム３１及び３２がシェーバーヘッド部分に枢動可能に接続されたヘッド継手３１ａ及び３２ａの間の距離よりも大きい距離Ｌ１で、互いに離間されている。距離Ｌ１と距離Ｌ２との間の比率は、変動し得、並びに／又は前に説明したように所望の運動学を達成するようにリンクアーム３１及び３２の長さに適合され得る。
【００８３】
図２から分かるように、シェーバーヘッドフレーム６は、傾斜軸１１と平行な枢軸を画定するそのヘッド継手３１ａ及び３２ａにおいて、リンクアーム３１及び３２に接続され得る。したがって、シェーバーヘッドフレーム６は、当該傾斜軸１１を中心にハンドル２に対して傾斜し得る。
【００８４】
更にまた、当該シェーバーヘッドフレーム６は、カッター支持フレーム４６などの別のシェーバーヘッド部分を枢動可能に支持して、そのようなカッター支持フレーム４６が、シェーバーヘッドフレーム６とカッター支持フレーム４６との間で枢軸軸受３４によって画定された旋回軸７を中心に旋回することを可能にし得る。そのような枢軸軸受３４は、孔又は凹部内に受容されたシャフト又は無精ひげを含み得、旋回軸７は、シェーバーヘッドフレーム６に対して固定され得る。
【００８５】
図３ａ及び図５ａに示されるそのような第１の構成に反して、異なるタイプのシェーバーヘッドは、ハンドル２に取り付けられ得る。例えば、図３ｂ及び図５ｂに示される第２の構成によれば、傾斜軸１１は、排除され得、それは、例えば、シェーバーヘッドフレーム６（図５ｂを参照）に前述のリンクアーム３１及び３２を強固に取り付けることによって達成され得ることである。これにより、リンクアーム３１及び３２は、前述のハンドル継手３１ｂ及び３２ｂによって、シェーバーのハウジング３００に依然として枢動可能に接続され得る。それでも、リンクアーム３１及び３２がシェーバーヘッドフレーム６の一体的な、強固な部分を形成するので、シェーバーヘッドは枢動しない場合がある。そのようなシェーバーヘッドフレーム６は、旋回することを可能にするように、前述のカッターユニットフレーム４６を依然として枢動可能に支持し得る。
【００８６】
代替的に、旋回軸を排除するが、依然として傾斜軸を提供することが可能であろう。これは、例えば、シェーバーヘッドフレーム６にカッターユニット支持フレーム４６を強固に接続することによって達成される可能性があり、当該シェーバーヘッドフレーム６は、図３ａ及び図５ａに示される４つの継手結合に関して、支持構造３０によってハンドル２に接続される。
【００８７】
シェーバーヘッド３の別の可能な構成によると、図３ｃ及び図５ｃに示されるように、支持構造３０は、実質的に強固であり得るか、又は任意の傾斜及び旋回軸を完全に欠いている場合がある。カッターユニット支持フレーム４６は、シェーバーヘッドフレーム６に強固に取り付けられ、シェーバーヘッドフレーム６は、再度、一対の強固なリンクアーム３１及び３２（図５ｃを参照）によって、ハウジングに強固に取り付けられる。
【００８８】
前述のカッター要素４は、カッター支持フレーム４６において支持され得、カッター要素４は、カッター支持フレーム４６に対して往復運動軸８に沿って前述の往復運動駆動移動を実行することを可能にされ得る。加えて、カッター要素４は、ハンドル２に向かってそのようなカッター支持フレーム４６に対して急落し得る。
【００８９】
図１から分かるように、シェーバーヘッド３がハンドル２から離間されて位置決めされるように、リンクアーム３１及び３２は、周囲から被覆されておらず、かつアクセス可能である。より具体的には、隙間２００がシェーバーヘッドの底面２０１とハンドル２の頂面２０２の間で画定されるように、シェーバーヘッド３は、ハンドルから分離及び離間され、当該隙間２００は、リンクアーム３１及び３２の周りで、シェーバー１の外側輪郭における実質的にリング形状又は周辺収縮を形成し、そのため、そのようなリンクアーム３１及び３２へのアクセスが周囲から与えられる。これにより、シェーバーヘッド３が傾斜又は旋回しているとき、使用者は、リンクアーム３１及び３２が移動しているのを見ることができる。
【００９０】
当該リンクアーム３１及び３２に加えて、細長い駆動送信機９は、ハンドル２の内部に収容され得るモータ９３にカッター要素４を接続するように、ハンドル２からシェーバーヘッド３内に延在し得る。そのような細長い駆動送信機９は、往復運動様式で回転する、すなわち、ある特定の角度で前後に回転するように駆動され得るシャフト９０を含み得る。図４から分かるように、クランク要素９２は、当該シャフト９に回転自在に固定され、シェーバーヘッド３の内部に収容され得る。そのようなクランク要素は、当該カッター要素４の各々に対して駆動ピン９１を強固に支持し得る。駆動ピン９１が、カッター要素４の長手方向軸に沿って前後に移動させるように、当該クランク要素は、シャフト９の中立位置において、細長いカッター要素４の長手方向軸を横断して延在し得る。より具体的には、そのような駆動ピン９１は、円の区分に沿った移動を実行する。しかしながら、回転振動が振幅を制限した、かつ円弧がカッター要素４の長手方向軸に正接するので、そのような移動は、カッター要素の長手方向軸に沿って直線移動に近似するとみなされ得る。
【００９１】
前述のシャフト９０に関する前述の細長い駆動送信機９は、リンクアーム３１及び３２から分離した隙間２００を通して延在し得る。これにより、互いに離間された３つの別個の要素は、前述の隙間２００（すなわち、リンクアーム３１及び３２、並びに細長い駆動送信機９）を架橋し得る。
【００９２】
リンクアーム３１及び３２及び駆動送信機９は、シェーバーヘッド３にハンドル２を接続するネック２０３を一緒に形成し、そのネック２０３は、当該隙間２００によって囲まれ、ハンドル２の長手方向軸２０を横断する断面平面を考慮するとき、ハンドル２及び／又はシェーバーヘッド３の断面積よりも大幅に小さい断面積を有する。
【００９３】
図１から分かるように、前述の隙間２００がそれらのドーム形状の底部及び頂面の中心にその最小幅を有し得、隙間２００の幅が、当該底面２０１及び／又は頂面２０２の外周に向かって連続的に増加し得るように、ハンドル２の頂面２０２及びシェーバーヘッド３の底面２０１の各々は、ドーム形状の輪郭を有し得る。隙間２００の最小幅は、リンクアーム３１と３２との間、及び／若しくは送信機９と当該リンクアーム３１及び３２との間で、並びに／又はシェーバーの中心領域に位置決めされ得る。
【００９４】
その中心の隙間２００の当該最小幅は、少なくとも３ｍｍ又は少なくとも５ｍｍであり得る。
【００９５】
図６から分かるように、ハンドル２を形成するハウジング３００は、内側ハウジング３０１と、当該内側ハウジング３０１を囲む外側ハウジング３０２と、を備える、２つのシェル構造を有し得る。
【００９６】
内側ハウジング３０１は、前述のモータ９３、更にまた、バッテリ又はアキュムレータなどの電気貯蔵装置、及び電子制御ユニットを収容し、内側ハウジング３０１は、そのような構成要素を液体及び水分から保護する水密容器を形成し得る。内側ハウジング３０１は、バッテリガスが必要に応じて抜けることを可能にするために、ガス抜き開口を備え得る。水が内側ハウジングの内部に入る（例えば、類似した効果を有するゴアテックス膜又は他の弁若しくは膜によって）ことができないように、当該ガス抜きは提供される。
【００９７】
より具体的には、内側ハウジング３０１は、閉鎖底部及び開放頂面を有するカップ又はポット要素３０６を含む細長い円筒体状構造を有し得、そのようなカップ要素は、ハンドル２（図６を参照）の全長にわたって実質的に延在し得る。
【００９８】
カップ要素３０６は、カバー要素３０７によって、その開放頂面側で閉鎖され、カバー要素３０７は、板状又はわずかにドーム状形であり得、カップ要素３０６を閉鎖するときには、シェーバーヘッド３に対向する内側ハウジング３０１の前面側を形成する。
【００９９】
前述のカバー要素３０７は、シャフト９０がハウジングを貫通する開口を含み、カバー要素３０７は、内側ハウジング３０１が防水容器を形成するように、当該シャフト９０に対して、及びカバー要素３０７に対して、適切なシールによって封止される。
【０１００】
図６から分かるように、充電ピン３１０などの充電接続は、内側ハウジング３０１の内部のバッテリの充電を可能にするように、カバー要素３０７の底面から突出し得る。充電ピンは、好ましくは、水密接続を提供するために、内側ハウジング３０１の底部分によって上乗せ射出成形される。
【０１０１】
内側ハウジング３０１は、内側ハウジング３０１の内部で電子スイッチ手段と関連付けられ得る少なくとも１つの軟質熱可塑性材料部分３０９を含み得る。加えて又は代替的に、内側ハウジング３０１は、情報を表示するためのＬＥＤなどの光源を含み得る表示要素３０８を備え得、そのような表示要素３０８は、電子制御ユニットによって制御され得る。
【０１０２】
図６から分かるように、外側ハウジング３０２は、内側ハウジング３０１を実質的に完全に一緒に囲み得る一対の細長いシェル要素３０４及び３０５を含むシェル構造を有し得る。シェル要素３０４及び３０５は、内側ハウジング３０１及び／又はハンドル２の全長にわたって実質的に延在し得る。
【０１０３】
当該シェル要素３０４及び３０５は、内側ハウジング３０１の反対側に位置決めされ得、互いに接続され得、そのため、それらは実質的に円錐形状又は円筒状ハンドル２の把持面を一緒に形成する。
【０１０４】
加えて、外側ハウジング３０２は、シェーバーヘッド３に対向する外側ハウジング３０２の頂部側面を少なくとも部分的に形成するリング要素３０３を含み得、当該リング要素３０３は、内側ハウジング３０１の最大外径よりも実質的に小さい内径を有し得る。当該リング要素３０３は、シェル要素３０４及び３０５のうちの少なくとも１つに接続されており、内側ハウジング３０１のカバー要素３０７のリング形状部分を被覆し得る。
【０１０５】
より具体的には、リング要素３０３は、内側ハウジング３０１のカバー要素３０７の中心部分を囲み得、そこでは、接続要素４００は、ハウジング３００に様々なシェーバーヘッド３の支持構造３０を接続するためのものである。そのようなコネクタ要素４００は、上述のように、枢軸継手又はハンドル継手３１ｂ及び３２ｂを含み得る。
【０１０６】
本明細書にて開示した寸法及び値は、記載された正確な数値に厳密に限定されるものと理解されるべきではない。むしろ、特に指示がない限り、このような各寸法は、記載された値及びその値の周辺の機能的に同等の範囲の両方を意味することが意図される。例えば「４０ｍｍ」として開示される寸法は、「約４０ｍｍ」を意味するものとする。
【図１】
2019534739.tif 000003
【図２ａ】
2019534739.tif 000004
【図２ｂ】
2019534739.tif 000005
【図３ａ】
2019534739.tif 000006
【図３ｂ】
2019534739.tif 000007
【図３ｃ】
2019534739.tif 000008
【図４】
2019534739.tif 000009
【図５ａ】
2019534739.tif 000010
【図５ｂ】
2019534739.tif 000011
【図５ｃ】
2019534739.tif 000012
【図６】
2019534739.tif 000013
【国際調査報告】
2019534739.tif 000014
2019534739.tif 000015
2019534739.tif 000016
2019534739.tif 000017
2019534739.tif 000018